(57)【特許請求の範囲】
【請求項１】
符号化された音声データと、符号化されたビデオデータと、時間基準を示すデータとが時分割多重された多重データを受け、この多重データに含まれる音声データとビデオデータを復号する音声・ビデオ復号装置において、
前記多重データに挿入されている時間基準データに基づいて、符号化用クロックに同期した復号用クロックを生成する復号用クロック生成手段と、
この復号用クロック生成手段により生成された復号用クロックに従って、前記多重データに含まれる音声データを復号する音声復号手段と、
前記復号用クロック生成手段により生成された復号用クロックに従って、前記多重データに含まれるビデオデータを復号するビデオ復号手段と、
このビデオ復号手段により復号されたビデオデータを、前記ビデオ復号手段から出力されたビデオ表示用同期信号及び色副搬送波でなるビデオ表示用クロックに従って表示するビデオ表示手段とを備え、
前記音声復号手段は、
前記復号用クロック生成手段により生成された復号用クロックに同期した音声出力用クロックを生成する音声出力用クロック生成部と、
前記復号用クロック生成手段により生成された復号用クロックに従って、前記多重データに含まれる音声データを復号すると共に、前記音声出力用クロック生成部により生成された音声出力用クロックに従って、復号された音声データを出力する音声復号部とを有し、
前記ビデオ復号手段は、
前記復号用クロック生成手段により生成された復号用クロックに同期した前記色副搬送波を生成すると共に、復号用クロックを分周してビデオ表示用同期信号を生成するビデオ表示用クロック生成部と、
前記復号用クロック生成手段により生成された復号用クロックに従って、前記ビデオデータを復号すると共に、前記ビデオ表示用クロックに従って、復号されたビデオデータを前記ビデオ表示手段に出力するビデオ復号部とを有する
ことを特徴とする音声・ビデオ復号装置。
【発明の詳細な説明】
【０００１】
【産業上の利用分野】
この発明は、例えば、蓄積用動画像符号化（以下、「ＭＰＥＧ」という）方式の復号装置に関する。
【０００２】
【従来の技術】
従来のＭＰＥＧ方式の復号装置においては、システムクロックとプレゼンテーション用（音声出力用、ビデオ表示用）のクロックとをそれぞれ独立に生成するようになっていた。
【０００３】
ここでいうシステムクロックとは、ＭＰＥＧ１では９０ＫＨｚ、ＭＰＥＧ２では２７ＭＨｚのクロックであり、例えば、音声データとビデオデータの同期再生のために用いられる共通クロックのことである。
【０００４】
ＭＰＥＧ方式では、符号化側で、このシステムクロックでカウントアップされる値をタイムスタンプとしてヘッダに書き込み、復号側で、その値を制御することにより、符号化側のシステムクロックと復号側のシステムクロックとの同期合わせを可能としている。
【０００５】
【発明が解決しようとする課題】
しかしながら、上記のように、システムクロックとプレゼンテーション用クロックを独立に生成する構成では、符号化側の入力系クロック（カメラ入力クロック等）と復号側のプレゼンテーション用クロックの周波数が少しでも異なると、フレームスリッピング（こま落ち）やサンプルスリッピング（音声抜け）が発生したり、同じフレームを２度表示したり、同じサンプルを２度出力する現象が発生するという問題があった。
【０００６】
この問題は、特に、ＭＰＥＧ２で考えられているＣＡＴＶ（ケーブルテレビジョン放送）等の放送品質に対しては、より大きな影響を与える。
【０００７】
【課題を解決するための手段】
上記課題を解決するために、この発明は、符号化された音声データと、符号化されたビデオデータと、時間基準を示すデータとが時分割多重された多重データを受け、この多重データに含まれる音声データとビデオデータを復号する音声・ビデオ復号装置において、時間基準データに基づいて、符号化用クロックに同期した復号用クロックを生成する手段と、復号用クロックに従って、音声データとビデオデータを個別に復号する手段と、復号用クロックに同期した音声出力用クロックとビデオ表示用クロックを生成する手段と、音声出力用クロックに従って、復号された音声データを出力し、ビデオ表示用クロックに従って、復号されたビデオデータを表示する手段とを設けるようにしたものである。
【０００８】
【作用】
上記構成においては、多重データを受けると、この多重データに挿入されている時間基準データに従って、符号化用クロックに同期した復号用クロックが生成される。また、この復号用クロックに同期した音声出力用クロックとビデオ出力用クロックが生成される。
【０００９】
そして、復号用クロックに従って、多重データに挿入されている音声データとビデオデータが個別に復号される。また、音声出力データに従って、復号された音声データが出力される。さらに、ビデオ表示用データに従って、復号されたビデオデータが表示される。
【００１０】
【実施例】
以下、図面を参照しながら、この発明の実施例を詳細に説明する。
【００１１】
図１は、この発明の一実施例の構成を示すブロック図である。なお、図１には、この発明をＭＰＥＧ復号装置に適用した場合を代表として示す。
【００１２】
図示のＭＰＥＧ復号装置は、データ受信部１１と、読出しクロック発生部１２と、システム復号部１３と、ＳＴＣカウンタ部１４と、音声復号部１５と、ビデオ復号部１６を有する。
【００１３】
データ受信部１１は、図示しない符号化装置から回線を介して伝送されてきた多重データのビット列を受信する。また、このデータ受信部１１は、このような多重データのビット列が蓄積された記憶媒体、例えば、ＣＤ・ＲＯＭを装着可能となっている。
【００１４】
ここで、多重データとは、個別に符号化された音声データＡＤと、ビデオデータＶＤと、プライベートデータを時分割多重することにより得られたデータである。
【００１５】
読出しクロック発生部１２は、データ受信部１１から多重データのビット列を読み出すための読出しクロックＲＣＫを出力する。ここで、読出しクロックＲＣＫの周波数は、符号化側でデータの書込みに使われた書込みクロックの周波数と同じ値に設定されている。
【００１６】
システム復号部１３は、多重データの分離機能等を有する。これを具体的に説明すると次のようになる。
【００１７】
（ａ１）  読出しクロック発生部１２から出力される読出しクロックＲＣＫに従ってデータ受信部１１から多重データのビット列を読み込み、この多重データに含まれるヘッダ情報を解析する機能。
【００１８】
（ａ２）  ヘッダ情報の解析結果に基づいて、多重データのビット列を音声データＡＤ、ビデオデータＶＤ、プライベートデータのビット列に分離し、音声データＡＤのビット列を音声復号部１５に供給し、ビデオデータＶＤのビット列をビデオ復号部１６に供給する機能。
【００１９】
（ａ３）  ヘッダ情報の解析結果に基づいて、多重データのヘッダから同期再生に必要なＰＴＳ（プレゼンテーションタイムスタンプ）とＤＴＳ（デコーディングタイムスタンプ）を抽出し、音声復号部１５とビデオ復号部１６に供給する機能。
【００２０】
ここで、ＰＴＳとは、復号部１５，１６がプレゼンテーション（音声出力、ビデオ表示）を行うタイミングを示す情報である。また、ＤＴＳとは、復号部１５，１６が復号を始めるタイミングを示す情報である。いずれも、９０ＫＨｚのクロックで計測した値を３３ビット長で表したものとなっている。
【００２１】
（ａ４）  ヘッダ情報の解析結果に基づいて、多重化データ内のＳＣＲ（システムクロックレファレンス）／ＰＣＲ（プログラムクロックリファレンス）フィールドの最終バイトが到着するタイミングを検出し、この検出結果に基づいて、カウンタロードタイミング信号ＬＤを生成し、これをＳＴＣカウンタ部１４に供給する機能。
【００２２】
ここで、ＳＣＲ／ＰＣＲとは、後述するＳＴＣ（システムタイムクロック）の値を符号化側が意図する値にセット、校正するための時間基準データである。
【００２３】
（ａ５）  ヘッダ情報の解析結果に基づいて、多重データのビット列のＳＣＲ／ＰＣＲフィールドからＳＣＲ／ＰＣＲを抽出し、ＳＴＣカウンタ部１４に供給する機能。
【００２４】
ＳＴＣカウンタ部１４に、カウンタロードタイミング信号ＬＤとＳＣＲ／ＰＣＲを供給するのは、復号側のシステムクロックＳＣＫを符号化側のシステムクロックに同期させるためである。
【００２５】
なお、図１のＭＰＥＧ復号装置は、読出しクロックＲＣＫをタイムマスタとして構成されている。
【００２６】
ＳＴＣカウンタ部１４は、復号側のシステムクロックＳＣＫを符号化側のシステムクロックに同期させる機能等を有する。これを具体的に説明すると、次のような機能を有する。
【００２７】
（ｂ１）  システム復号部１３から供給されるカウンタロードタイミング信号ＬＤとＳＣＲ／ＰＣＲに基づいて、システムクロックＳＣＫを符号化側のシステムクロックに同期させる機能。
（ｂ２）  システムクロックＳＣＫをカウントして、ＳＴＣを生成する機能。
（ｂ３）  システムクロックＳＣＫとＳＴＣを復号部１５，１６に供給する機能。
音声復号部１５は、音声データを復号する機能等を有する。これを具体的に説明すると、次のようになる。
【００２８】
（ｃ１）  ＳＴＣが音声用ＤＴＳと一致したタイミングで、システムクロックＳＣＫに従って、音声データのビット列を復号する機能。
（ｃ２）  音声出力用クロックをシステムクロックＳＣＫに同期させる機能。
（ｃ３）  ＳＴＣが音声用ＰＴＳと一致したタイミングで、音声出力用クロックに従って、復号された音声データを出力する機能。
ビデオ復号部１６は、ビデオデータＶＤを復号する機能等を有する。これを具体的に説明すると、次のようになる。
【００２９】
（ｄ１）  ＳＴＣがビデオ用ＤＴＳと一致したタイミングで、システムクロックＳＣＫに従って、ビデオデータＶＤを復号する機能。
（ｄ２）  ビデオ表示用クロックをシステムクロックＳＣＫに同期させる機能。
（ｄ３）  ＳＴＣがビデオ用ＰＴＳと一致したタイミングで、ビデオ表示用クロックに従って、復号されたビデオデータを出力する機能。
図２は、ＳＴＣカウンタ部１４の具体的構成の一例を示すブロック図である。
【００３０】
図示のＳＴＣカウンタ部１４は、電圧制御発振器１４１と、ＳＴＣカウンタ１４２と、減算器１４３と、ローパスフィルタ・ゲイン回路１４４を有する。これらは、ＳＣＲ／ＰＣＲの変化にシステムクロックＳＣＫを追随させる位相同期ループ回路（以下、「ＰＬＬ回路」という。）を構成する。
【００３１】
ここで、電圧制御発振器１４１は、ＳＣＲ／ＰＣＲとシステムクロックＳＣＫとの位相差に応じて発振周波数を制御することにより、システムクロックＳＣＫを出力する。ＳＴＣカウンタ１４２は、このシステムクロックＳＣＫをカウントすることによりＳＴＣを出力する。
【００３２】
減算器１４３は、システム復号部１３から供給されるカウンタロードタイミング信号ＬＤに従って、システム復号部１３から供給されるＳＣＲ／ＰＣＲの値からカウンタ１４２のカウント値（ＳＴＣ値）を減算する。ローパスフィルタ・ゲイン回路１４４は、減算器１４３の減算出力から電圧制御発振器１４１の制御電圧を生成する。
【００３３】
ＭＰＥＧの仕様においては、ＳＣＲ／ＰＣＲの到着時に、ＳＴＣカウンタ１４２のカウント値をこのＳＣＲ／ＰＣＲで上書きすることにより、ＳＴＣカウンタ１４２のカウント値を符号化側のＳＴＣカウンタのカウント値と等しくする構成が提案されている。
【００３４】
しかし、このような構成では、２つのＳＴＣカウンタの見かけ上のカウント値は等しくなるが、システムクロックＳＣＫの同期がはずれているので（ＭＰＥＧ仕様の規定内で）、こま落ち等が発生する。
【００３５】
そこで、この実施例は、符号化データの完全復号器を実現するために、ＳＣＲ／ＰＣＲを入力信号とし、システムクロックＳＣＫを出力信号とするＰＬＬ回路を設け、システムクロックＳＣＫを符号化側のシステムクロックに同期させるようにしたわけである。
【００３６】
図３は、音声復号部１５の具体的構成の一例を示すブロック図である。
【００３７】
図示の音声復号部１５は、復号部１５１と、電圧制御発振器１５２と、制御電圧発生部１５３を有する。
【００３８】
ここで、復号部１５１は、ＳＴＣが音声用ＤＴＳと一致したタイミングで、システムクロックＳＣＫに従って、音声データＡＤを復号する。また、この復号部１５１は、ＳＴＣが音声用ＰＴＳと一致したタイミングで、音声出力用クロックＯＣＫに従って、復号された音声復号データを図示しないスピーカに供給する。
【００３９】
電圧制御発振器１５２と制御電圧発生部１５３は、音声出力用クロックＯＣＫをシステムクロックＳＣＫに同期させるためのＰＬＬ回路を構成する。
【００４０】
ここで、電圧制御発振器１５２は、システムクロックＳＣＫと出力クロックＯＣＫとの位相差に応じて発振周波数を制御することにより、音声出力用クロックＯＣＫを出力する。制御電圧発生部１５３は、システムクロックＳＣＫと出力クロックＯＣＫとの位相を比較し、この比較結果に基づいて、電圧制御発振器１５２の制御電圧を生成する。
【００４１】
図４は、ビデオ復号部１６の具体的構成の一例を示すブロック図である。
【００４２】
図示のビデオ復号部１６は、復号部１６１と、クロック分周器１６２と、電圧制御発振器１６３と、制御電圧発生部１６４を有する。
【００４３】
復号部１６１は、ＳＴＣがビデオ用ＤＴＳと一致したタイミングで、システムクロックＳＣＫに従って、ビデオデータＶＤを復号する。また、この復号部１６１は、ＳＴＣがビデオ用ＰＴＳと一致したタイミングで、表示用クロックに従って、復号されたビデオデータを図示しない表示部に供給する。ここで、表示用クロックとしては、ビデオ表示用同期信号Ｓ１と色副搬送波Ｓ２がある。
【００４４】
クロック分周器１６２は、システムクロックＳＣＫを分周することにより、このシステムクロックＳＣＫに同期したビデオ表示用同期信号Ｓ１を生成する。電圧制御発振器１６３と制御電圧発生部１６４は、色副搬送波Ｓ２をシステムクロックＳＣＫに同期させるためのＰＬＬ回路を構成する。
【００４５】
ここで、電圧制御発振器１６３は、色副搬送波Ｓ２とシステムクロックＳＣＫとの位相差に基づいて、発振周波数を制御することにより、色副搬送波Ｓ２を出力する。制御電圧発生部１６４は、システムクロックＳＣＫと色副搬送波搬送波Ｓ２との位相を比較することにより、電圧制御発振器１６３の制御電圧を生成する。
【００４６】
上述したように、音声復号部１５とビデオ復号部１６は、プレゼンテーションクロック（音声出力用クロックＯＣＫ、ビデオ表示用クロック（ビデオ表示用同期信号Ｓ１、色副搬送波Ｓ２））をシステムクロックＳＣＫと同期させることにより、符号化側と完全に同期した出力を可能としている。あとは、ＳＴＣの値がＰＴＳの値と一致したときに、プレゼンテーション用クロックのタイミングで、復号データを出力すれば、こま落ち等のない完全同期再生が実現される。
【００４７】
なお、この際、留意する点としては、まず、符号化側において、システムクロックと、音声データ、ビデオデータの入力系クロックが同期していることが前提となる点である。両者が同期していることは、ＭＰＥＧでは、システム・オーディオ・ロック・フラグとシステム・ビデオ・ロック・フラグがオンになっていることで示される。仮に、これらのフラグがオフの場合、この実施例のＭＰＥＧ復号装置を用いても完全同期再生は不可能である。
【００４８】
次に、この実施例のＭＰＥＧ復号装置は、前述の通り、読出しクロックＲＣＫをタイムマスタとしている。このような構成においては、書込みクロックと読出しクロックＲＣＫの周波数が異なる場合、ＭＰＥＧ復号装置のすべてのタイミングが両者の差に比例してずれる。つまり、読出しクロックＲＣＫが早ければ、プレゼンテーション（音声出力、ビデオ表示）も速くなり、遅ければ、プレゼンテーション（音声出力、ビデオ表示）も遅くなる。
【００４９】
しかし、この場合、相対関係は符号器側と等しいので、こま落ち等は発生しない。
【００５０】
復号器の処理能力さえ許容可能ならば、問題がないようにも考えられるが、図４のビデオ復号部１６に問題が生じる可能性がある。それは、色副搬送波Ｓ２が３．５８ＭＨｚという絶対周波数を要求していることに起因する。
【００５１】
仮に、読出しクロックＲＣＫの周波数が書込みクロックの周波数の半分である場合、図４のビデオ復号部１６の色副搬送波Ｓ２の周波数は、１．７９ＭＨｚとなり、カラー出力に異常が発生する。よって、読出しクロックＲＣＫは、色副搬送波Ｓ２の許容範囲（３ＰＰＭ）を満たす精度を必要とする。
【００５２】
なお、ＭＰＥＧ復号装置が符号化装置と回線で接続されている場合は、通常、書込みクロックの周波数と読出しクロックＲＣＫの周波数が同じであるので問題はない。
【００５３】
上記構成において、動作を説明する。まず、図１に示すＭＰＥＧ復号装置全体の動作を説明する。
【００５４】
データ受信部１１により受信された多重データあるいはこのデータ受信部１１に装着された記憶媒体に蓄積されている多重データは、読出しクロックＲＣＫに従って、システム復号部１３により読み込まれる。
【００５５】
システム復号部１３は、読み込んだ多重データに含まれるヘッダ情報を解析し、この解析結果に基づいて、ＳＣＲ／ＰＣＲフィールドに含まれるＳＣＲ／ＰＣＲを抽出する。また、この解析結果に基づいて、音声用ＰＴＳ／ＤＴＳと、ビデオ用ＰＴＳ／ＤＴＳを抽出する。さらに、この解析結果に基づいて、多重データを音声データＡＤと、ビデオデータＶＤと、プライベートデータに分離する。また、システム復号部１３は、ＳＣＲ／ＰＣＲフィールドの最終バイトが到着したタイミングで、カウンタロードタイミング信号ＬＤを発生する。
【００５６】
ＳＣＲ／ＰＣＲとカウンタロードタイミング信号ＬＤは、ＳＴＣカウンタ部１４に供給される。音声データＡＤと、音声用ＰＴＳ／ＤＴＳは、音声復号部１５に供給される。ビデオデータＶＤと、ビデオ用ＰＴＳ／ＤＴＳは、ビデオ復号部１６に供給される。
【００５７】
ＳＴＣカウンタ部１４は、ＳＣＲ／ＰＣＲとカウンタロードタイミング信号ＬＤを受けると、これらに従って、符号化側のシステムクロックに同期したシステムクロックＳＣＫを生成する。また、このシステムクロックＳＣＫをカウントすることにより、ＳＴＣを生成する。システムクロックＳＣＫとＳＴＣは、音声復号部１５とビデオ復号部１６に供給される。
【００５８】
音声復号部１５は、音声データＡＤを受けると、ＳＴＣが音声用ＤＴＳに一致したとき、システムクロックＳＣＫに従って音声データＡＤを復号する。また、この音声復号部１５は、システムクロックＳＣＫを受けると、これに同期した音声出力用クロックＯＣＫを生成する。そして、ＳＴＣが音声用ＰＴＳに一致すると、この音声出力用クロックＯＣＫに従って、復号された音声データをスピーカに供給する。
【００５９】
ビデオ復号部１６は、ビデオデータＶＤを受けると、ＳＴＣがビデオ用ＤＴＳに一致したとき、システムクロックＳＣＫに従ってビデオデータＶＤを復号する。また、このビデオ復号部１６は、システムクロックＳＣＫを受けると、これに同期したビデオ表示用クロックを生成する。そして、ＳＴＣがビデオ用ＰＴＳに一致すると、このビデオ表示用クロックＯＣＫに従って、復号されたビデオデータを表示部に供給する。
【００６０】
以上が、ＭＰＥＧ復号装置全体の動作である。次に、図２に示すＳＴＣカウンタ部１４の動作を説明する。
【００６１】
このＳＴＣカウンタ部１４は、上記の如く、システムクロックＳＣＫを符号化側のシステムクロックに同期させる機能を有する。
【００６２】
本来、符号化側のシステムクロックと復号側のシステムクロックＳＣＫが同期していれば、ＳＣＲ／ＰＣＲの値とカウンタロード時のＳＴＣカウンタ１４２のカウンタ値（ＳＴＣ値）は等しい。これは、ＳＣＲ／ＰＣＲ値は、ＳＣＲ／ＰＣＲフィールドの最終バイトが出力された時間の符号化側のＳＴＣ値であることに起因する。
【００６３】
ＳＣＲとＰＣＲの違いは、ＭＰＥＧ２において、ＰＳ（プログラムストリーム）では、ＳＣＲを用い、ＴＳ（トランスポートストリーム）では、ＰＣＲを用いるというものである。
【００６４】
したがって、カウンタロード時のカウント値（ＳＴＣ値）とＳＣＲ／ＰＣＲ値が異なった場合、減算器１４３でその差分“ｅ”を演算し、この演算結果に基づいて、ローパスフィルタ・ゲイン回路１４４で制御電圧“ｆ”を生成し、この制御電圧“ｆ”で、電圧制御発振器１４１の発振周波数を制御する。これにより、ある時間後に、“ｅ”は０となり、システムクロックＳＣＫの位相及び周波数は符号化側のシステムクロックの位相及び周波数と一致するようになる。
【００６５】
以上が図２に示すＳＴＣカウンタ部１４の動作である。次に、図３に示す音声復号部１５の動作を説明する。
【００６６】
復号部１５１に供給された音声データＡＤは、ＳＴＣが音声用ＤＴＳと一致したタイミングで、システムクロックＳＣＫに従って復号される。この復号データは、ＳＴＣが音声用ＰＴＳに一致したタイミングで、音声出力用クロックＯＣＫに従ってスピーカに供給される。
【００６７】
この音声出力用クロックＯＣＫは、制御電圧発生部１５３に供給され、システムクロックＳＣＫと位相比較される。制御電圧発生部１５３は、この位相比較結果に基づいて、電圧制御発振器１５２の制御電圧を生成する。
【００６８】
これにより、システムクロックＳＣＫに同期した音声出力用クロックＯＣＫが得られる。その結果、音声抜け等のない完全同期再生が得られる。
【００６９】
以上が、図３に示す音声復号部１５の動作である。次に、図４に示すビデオ復号部１６の動作を説明する。
【００７０】
復号部１６１に供給されたビデオデータＶＤは、ＳＴＣがビデオ用ＤＴＳと一致したタイミングで、システムクロックＳＣＫに従って復号される。この復号データは、ＳＴＣがビデオ用ＰＴＳに一致したタイミングで、ビデオ表示用クロック（ビデオ表示用同期信号Ｓ１、色副搬送波Ｓ２）に従って表示部に供給される。
【００７１】
ビデオ表示用同期信号Ｓ１は、システムクロックＳＣＫをクロック分周器１６２で分周することにより生成される。これにより、システムクロックＳＣＫに同期したビデオ表示用同期信号Ｓ１が得られる。
【００７２】
色副搬送波Ｓ２は、制御電圧発生部１６４に供給され、システムクロックＳＣＫと位相比較される。制御電圧発生部１６４は、この位相比較結果に基づいて、電圧制御発振器１６３の制御電圧を生成する。
【００７３】
これにより、システムクロックＳＣＫに同期した色副搬送波Ｓ２が得られる。その結果、こま落ち等のない完全同期再生が得られる。
【００７４】
以上詳述したこの実施例によれば、多重データに含まれるＳＣＲ／ＰＣＲに基づいて、符号化側のシステムクロックに同期したシステムクロックＳＣＫを生成し、かつ、このシステムクロックＳＣＫに同期してプレゼンテーション用クロックを生成するようにしたので、仮に、書込みクロックと読出しクロックが等しいとすると、こま落ち等が全く発生せず、完全同期再生が可能となる。
【００７５】
ちなみに、システムクロックＳＣＫとプレゼンテーション用クロックを独立に生成する構成の場合、一例として、システムクロック周波数が２７ＭＨｚで、ビデオ表示用同期信号Ｓ１の周波数が３０Ｈｚのものを考えた場合、それぞれの信号がＭＰＥＧ２仕様に合致しているならば、約９９００フレームに１回（３２６秒に１回）こま落ちや同じフレームの連続出力が発生する。この値は、システムクロックＳＣＫと独立のビデオ表示用同期信号Ｓ１の位相がずれる程、大きくなる。
【００７６】
これに対し、この実施例では、上記の如く、システムクロックＳＣＫを符号化側のシステムクロックに同期させ、プレゼンテーション用クロックをシステムクロックに同期させるようにしたので、このような問題は生じない。
【００７７】
以上、この発明の一実施例を詳細に説明したが、この発明は、上述したような実施例に限定されるものではない。
【００７８】
例えば、先の実施例では、この発明をＩＳＯ／ＩＥＣ勧告のＭＰＥＧ復号装置に適用する場合を説明した。しかし、この発明は、符号化された音声データと、符号化されたビデオデータと、時間基準を示すデータとが時分割多重された多重データを受け、この多重データに含まれる音声データとビデオデータを復号する音声・ビデオ復号装置であれば、ＩＳＯ／ＩＥＣ勧告のＭＰＥＧ復号装置以外の復号装置にも適用することができる。
【００７９】
【発明の効果】
以上詳述したようにこの発明によれば、多重データに含まれるＳＣＲ／ＰＣＲに基づいて、符号化用クロックに同期した復号用クロックを生成し、かつ、この復号用クロックに同期して音声出力用クロックとビデオ出力用クロックを生成するようにしたので、符号化側の入力系クロックと復号側のプレゼンテーション用クロックの周波数が異なっても、こま落ち等が全く発生しない完全同期再生を実現することができる。
【図面の簡単な説明】
【図１】  この発明の一実施例の構成を示すブロック図である。
【図２】  ＳＴＣカウンタ部の具体的構成の一例を示すブロック図である。
【図３】  音声復号部の具体的構成の一例を示すブロック図である。
【図４】  ビデオ復号部の具体的構成の一例を示すブロック図である。
【符号の説明】
１１…データ受信部
１２…読出しクロック発生部
１３…システム復号部
１４…ＳＴＣカウンタ部
１５…音声復号部
１６…ビデオ復号部
【図１】
0004297518.tif 000002
【図２】
0004297518.tif 000003
【図３】
0004297518.tif 000004
【図４】
0004297518.tif 000005